(57)【要約】【課題】簡便な構成でありつつも悪戯によるドアの閉め切りを確実に回避することができるドア開閉システムを提供すること。【解決手段】このドア開閉システムＤＳは、ドアが開いている場合に第二操作部２０１が操作されるとドアを閉めることを指示する駆動信号としてドア閉信号をドア駆動モーターＤＭに出力するものであって、ドア閉信号が出力されてドアが閉まってから更に第二操作部２０１が操作されるとドアの開閉動作を規制し、このようにドアの開閉動作が規制されている間において、第一操作部１０１に対する操作ではドアを開かないように制御する。【選択図】図５
2011220039.tif 000002
【特許請求の範囲】
【請求項１】
鉄道車両に設けられるトイレ室における出入口のドアを電気駆動によって開閉するためのドア開閉システムであって、
前記トイレ室の外側に配置され、第一操作部と第一報知部とを有する第一操作装置と、
前記トイレ室の内側に配置され、第二操作部と第二報知部とを有する第二操作装置と、
前記第一操作部及び前記第二操作部からの指示信号に対応して前記ドアを開閉するドア駆動装置と、
前記第一操作装置及び前記第二操作装置から出力される指示信号を受信し、前記ドア駆動装置に駆動信号を出力する制御部と、を備え、
前記制御部は、前記ドアが閉まってから前記第二操作部が操作されると前記ドアの開閉動作を規制し、このように前記ドアの開閉動作が規制されている間においては、前記第一操作部に対する操作では前記ドアを開かないように制御することを特徴とするドア開閉システム。
【請求項２】
前記制御部は、前記ドアが開いている場合に前記第二操作部が操作されると前記ドアを閉めることを指示する駆動信号としてドア閉信号を前記ドア駆動装置に出力するものであって、前記ドア閉信号が出力されて前記ドアが閉まってから更に前記第二操作部が操作されると前記ドアの開閉動作を規制することを特徴とする請求項１に記載のドア開閉システム。
【請求項３】
前記制御部は、前記ドアの開閉動作が規制されている間において、更に前記第二操作部が操作されると、前記ドアの開閉動作の規制を解除すると共に、前記ドア駆動装置に駆動信号を出力することを特徴とする請求項２に記載のドア開閉システム。
【請求項４】
前記第一報知部及び前記第二報知部は、少なくとも前記ドアの開閉動作が規制された状態か否かを使用者が認識可能なように報知することを特徴とする請求項３に記載のドア開閉システム。
【請求項５】
前記第二報知部は、前記ドアの開閉動作が規制された状態であることを報知する際に、前記第二操作部の再度の操作を促す情報も含めて報知することを特徴とする請求項４に記載のドア開閉システム。
【請求項６】
前記第一報知部は、前記ドアの開閉動作が規制された状態であることを報知する際に、前記トイレ室の外側の使用者に対して待機を促す情報も含めて報知することを特徴とする請求項４に記載のドア開閉システム。
【請求項７】
前記第一報知部及び前記第二報知部は、報知する内容を表示することで使用者に知らしめることを特徴とする請求項４〜６のいずれか１項に記載のドア開閉システム。
【請求項８】
前記第一報知部は前記第一操作部に設けられ、前記第二報知部は前記第二操作部に設けられていることを特徴とする請求項７に記載のドア開閉システム。
【請求項９】
前記第一報知部と前記第二報知部とは同一の部材によって形成され、前記第一操作部と前記第二操作部とも同一の部材によって形成されていることを特徴とする請求項８に記載のドア開閉システム。
【発明の詳細な説明】
【技術分野】
【０００１】
本発明は、鉄道車両に設けられるトイレ室における出入口のドアを電気駆動によって開閉するためのドア開閉システムに関する。
【背景技術】
【０００２】
鉄道車両には、近距離を走る車両を除き、中距離及び長距離を走る近郊型通勤車両や特急型車両には、トイレが設けられている。このトイレは、トイレ室内に便器や手洗器が配置され、そのトイレ室の出入口をドアで仕切って開閉可能なように構成するものである。このようなトイレのドアは、当初手動式のものであった。
【０００３】
具体的には、引き戸式又は折り畳み式のドアの端部にレバーハンドルが設けられており、このレバーハンドルを引き下げながらドアの開閉ができるように構成されていた。更に、トイレ室内からレバーハンドルの動きを規制し、トイレ室外からレバーハンドルの操作をできないようにするロックが掛けられるように、ロック機構も設けられていた。
【０００４】
これに対して、電気駆動によってドアの開閉を行うものが取り入れられてきている。具体的には、トイレ室の外側と内側とにそれぞれ、「開」ボタンと「閉」ボタンとが設けられており、「開」ボタンを押すとドアが電気駆動によって開き、「閉」ボタンを押すとドアが電気駆動によって閉じるものである。
【０００５】
使用者は、トイレ室に入る際には、トイレ室外側の「開」ボタンを押してドアを開け、トイレ室内に入ったらトイレ室内側の「閉」ボタンを押してドアを閉める。このように操作を行ってドアを閉めると、トイレ室外からの操作によってはドアが開かないようにロック制御が働くように構成されており、ロック制御が働くとトイレ室外側の表示部に「使用中」といった文字が表示される。
【０００６】
用便が済んでトイレ室から出る場合には、トイレ室内側の「開」ボタンを押してドアを開け、トイレ室外に出たらトイレ室外側の「閉」ボタンを押してドアを開ける。このように操作を行ってドアを閉めると、ロック制御は働かずに、トイレ室外側の表示部に「あき」といった文字が表示される。
【０００７】
ところで、このような電気駆動方式のトイレでは、誤操作や悪戯によって、使用者が中に入っていないにも拘らず、ドアが閉まってロック制御も働いてしまい、トイレ室外側の表示部に「使用中」といった文字が表示されてしまう場合がある。これに対応するため、下記特許文献１に記載されているような自動ドア装置が提案されている。
【０００８】
下記特許文献１に記載されている自動ドア装置は、ドアが閉まってロック制御が働いた後、一定時間（例えば、３０分程度）が経過すると異常検知信号が発せられるものである。この異常検知信号が発せられるとロック制御が解除され、ドアはトイレ室外からの操作によって開くことができるように構成されている。
【先行技術文献】
【特許文献】
【０００９】
【特許文献１】特開平７−２９３１１１号公報
【発明の概要】
【発明が解決しようとする課題】
【００１０】
上述した従来の技術では、使用者が用便中にロック制御が解除されてしまうことがないように、ロック制御が解除されるまでの一定時間は余裕をもった時間を設定する必要があり、かなり長い時間トイレが使用できないものとなってしまうものである。百貨店やショッピングセンターといった一般のパブリックスペースでは、一つのトイレが長い時間使用できなくなったとしても、他のトイレが近くにある場合が多く、実際には大きな問題とはならないと思われる。
【００１１】
しかしながら、鉄道車両のトイレは、多くても一つの車両に１〜２個のトイレが設置されているものであり、走行中は当然ながら鉄道車両の外に出ることはできず、他のトイレも使用中である場合も多々ある。そのような鉄道車両のトイレにおいて、一つのトイレが誤操作や悪戯などによって長時間使用できなくなることは、通常のパブリックスペース以上に大きな問題となり得るものである。
【００１２】
ここで、少なくとも悪戯による長時間の閉め切りを回避するため、ロック制御を行うのではなく、別途鍵を設けることも考えられる。これは、悪戯によるドアの締め切りが、トイレ室内側の「閉」ボタンを押して、ドアが閉まる前に外に出てしまうことによって行われるものであることに着目したものである。
【００１３】
使用者は、トイレ室内側に入って「閉」ボタンを押し、ドアが完全に閉まった後に鍵を掛けるものであるから、上述したような悪戯の問題は回避できる。しかしながら、このように「閉」ボタンと「閉」ボタンとを設けた上に、更に鍵を設けることはスペースに余裕の無い鉄道車両においては極力回避したいものであり、コスト上もなるべく簡便な構成とすることが求められている。
【００１４】
本発明はこのような課題に鑑みてなされたものであり、その目的は、鉄道車両に設けられるトイレ室における出入口のドアを電気駆動によって開閉するためのドア開閉システムであって、簡便な構成でありつつも悪戯によるドアの閉め切りを確実に回避することができるドア開閉システムを提供することにある。
【課題を解決するための手段】
【００１５】
上記課題を解決するために本発明に係るドア開閉システムは、鉄道車両に設けられるトイレ室における出入口のドアを電気駆動によって開閉するためのドア開閉システムであって、前記トイレ室の外側に配置され、第一操作部と第一報知部とを有する第一操作装置と、前記トイレ室の内側に配置され、第二操作部と第二報知部とを有する第二操作装置と、前記第一操作部及び前記第二操作部からの指示信号に対応して前記ドアを開閉するドア駆動装置と、前記第一操作装置及び前記第二操作装置から出力される指示信号を受信し、前記ドア駆動装置に駆動信号を出力する制御部と、を備えている。
【００１６】
前記制御部は、前記ドアが閉まってから前記第二操作部が操作されると前記ドアの開閉動作を規制し、このように前記ドアの開閉動作が規制されている間においては、前記第一操作部に対する操作では前記ドアを開かないように制御する。
【００１７】
本発明に係るドア開閉システムでは、トイレ室の内側に配置される第二操作部が、ドアが閉まってから操作されると、制御部がドアの開閉動作を規制する。そのため、ドア駆動装置はドアの開閉動作を行うことが規制され、トイレ室の外側に配置される第一操作部に対する操作に対しては、ドアを開かないように構成することができる。従って、ドアが閉まってトイレ室の外側からは操作ができない状態になってからの、トイレ室内の第二操作部に対する操作によってのみドアの開閉動作が規制されるように構成されている。結果として、トイレ室内においてドアを閉める動作を行って、ドアが閉まる前にトイレ室の外に逃げてしまうような悪戯を確実に回避することができる。
【００１８】
更に、本発明に係るドア開閉システムは、第一操作部及び第二操作部からの指示信号に対応してドアを開閉するので、トイレ室の外側と内側とにそれぞれ一つの操作部を設けることでドアの開閉を行うことができ、操作部の設置数を減らして簡便な構成とすることができる。従って、簡便な構成でありつつも悪戯によるドアの閉め切りを確実に回避することができるドア開閉システムを提供することができる。
【００１９】
また本発明に係るドア開閉システムでは、前記制御部は、前記ドアが開いている場合に前記第二操作部が操作されると前記ドアを閉めることを指示する駆動信号としてドア閉信号を前記ドア駆動装置に出力するものであって、前記ドア閉信号が出力されて前記ドアが閉まってから更に前記第二操作部が操作されると前記ドアの開閉動作を規制することも好ましい。
【００２０】
この好ましい態様では、ドアが開いている場合に第二操作部が操作されるとドアを閉めることを指示する駆動信号としてドア閉信号をドア駆動装置に出力する。ドアが開いている場合に第二操作部が操作されるのは、使用者がトイレ室内に入って用便をしようとしている場合であるので、ドア閉信号を出力することで確実にその状況に対応することができる。更に、ドア閉信号が出力されてドアが閉まってから更に第二操作部が操作されるとドアの開閉動作を規制するので、使用者が確実にトイレ室内に入ってドアの閉動作が完了してからドアの開閉動作を規制することになり、トイレ室内においてドアを閉める動作を行って、ドアが閉まる前にトイレ室の外に逃げてしまうような悪戯を確実に回避することができる。
【００２１】
また本発明に係るドア開閉システムでは、前記制御部は、前記ドアの開閉動作が規制されている間において、更に前記第二操作部が操作されると、前記ドアの開閉動作の規制を解除すると共に、前記ドア駆動装置に駆動信号を出力することも好ましい。
【００２２】
この好ましい態様では、ドア駆動装置の動作が規制された後、更に第二操作部が操作されると、ドアの開閉動作の規制を解除すると共にドアを開くように駆動するので、追加の動作を要することなくトイレ室を開放することができる。
【００２３】
また本発明に係るドア開閉システムでは、前記第一報知部及び前記第二報知部は、少なくとも前記ドアの開閉動作が規制された状態か否かを使用者が認識可能なように報知することも好ましい。
【００２４】
第一報知部及び第二報知部は、少なくともドアの開閉動作が規制された状態か否かを使用者が認識可能なように報知するので、操作部の設置数を減らしても使用者がドアの動作状態を認識することができ、より使い勝手が向上する。
【００２５】
また本発明に係るドア開閉システムでは、前記第二報知部は、前記ドアの開閉動作が規制された状態であることを報知する際に、前記第二操作部の再度の操作を促す情報も含めて報知することも好ましい。
【００２６】
この好ましい態様では、第二報知部は、ドアの開閉動作が規制された状態であることを報知する際に、第二操作部の再度の操作を促す情報も含めて報知するので、操作部の設置数を減らしても、使用者が次にどのような操作をすればドアが開けられるかを確実に認識させることができる。
【００２７】
また本発明に係るドア開閉システムでは、前記第一報知部は、前記ドアの開閉動作が規制された状態であることを報知する際に、前記トイレ室の外側の使用者に対して待機を促す情報も含めて報知することも好ましい。
【００２８】
この好ましい態様では、第一報知部は、ドアの開閉動作が規制された状態であることを報知する際に、トイレ室の外側の使用者に対して待機を促す情報も含めて報知するので、トイレ室の外側にいる次の使用者が待機すべきか否かを判断可能な情報を確実に伝達することができる。
【００２９】
また本発明に係るドア開閉システムでは、前記第一報知部及び前記第二報知部は、報知する内容を表示することで使用者に知らしめることも好ましい。
【００３０】
この好ましい態様では、第一報知部及び第二報知部は、報知する内容を表示することで使用者に知らしめるので、音声といった他の表示方法に対して視覚的に確実に報知することができる。特に鉄道車両は走行中に連結部で大きな音が車内に入り込みやすいものであるので、このように視覚的に確実に報知することで、使用者が聞き逃すといった事態を確実に回避することができる。
【００３１】
また本発明に係るドア開閉システムでは、前記第一報知部は前記第一操作部に設けられ、前記第二報知部は前記第二操作部に設けられていることも好ましい。
【００３２】
この好ましい態様では、第一報知部は第一操作部に設けられ、第二報知部は第二操作部に設けられているので、トイレ室内外の壁面における占有領域を低減することができる。
【００３３】
また本発明に係るドア開閉システムでは、前記第一報知部と前記第二報知部とは同一の部材によって形成され、前記第一操作部と前記第二操作部とも同一の部材によって形成されていることも好ましい。
【００３４】
本発明では、制御部が第一操作部及び第二操作部のいずれかから指示信号が出力されたかを判断し、その出力の場面と総合的に状況を勘案して、第一報知部及び第二報知部に表示信号を出力して所定の表示を行わせるものである。そこでこの好ましい態様では、第一報知部と第二報知部とは同一の部材によって形成し、第一操作部と第二操作部とも同一の部材によって形成するものとしている。このように第一操作装置と第二操作装置とを同じ部材によって構成することで、トイレ室内外いずれに設置するものであるかを区別する必要が無く、制御部との信号のやり取りのみを正確に行えるように結線すればよいので、部材点数を減らすことができ、総合的なコストダウンに寄与することができる。
【発明の効果】
【００３５】
本発明によれば、鉄道車両に設けられるトイレ室における出入口のドアを電気駆動によって開閉するためのドア開閉システムであって、簡便な構成でありつつも悪戯によるドアの閉め切りを確実に回避することができるドア開閉システムを提供することができる。
【図面の簡単な説明】
【００３６】
【図１】本発明の実施形態であるドア開閉システムが適用されるトイレ室の外観を示す図であって、ドアが閉じた状態を示す図である。
【図２】本発明の実施形態であるドア開閉システムが適用されるトイレ室の外観を示す図であって、ドアが開いた状態を示す図である。
【図３】本発明の実施形態であるドア開閉システムにおける第一操作装置を示す図である。
【図４】本発明の実施形態であるドア開閉システムにおける第二操作装置を示す図である。
【図５】本発明の実施形態であるドア開閉システムのブロック構成図である。
【図６】本発明の実施形態であるドア開閉システムの動作を説明するためのフローチャートである。
【発明を実施するための形態】
【００３７】
以下、添付図面を参照しながら本発明の実施の形態について説明する。説明の理解を容易にするため、各図面において同一の構成要素に対しては可能な限り同一の符号を付して、重複する説明は省略する。
【００３８】
最初に、本発明の実施形態であるドア開閉システムが適用されるトイレ室について、図１及び図２を参照しながら説明する。図１は、本発明の実施形態であるドア開閉システムが適用されるトイレ室ＴＲの外観を示す図であって、ドアＤＲが閉じた状態を示す図である。図２は、本発明の実施形態であるドア開閉システムが適用されるトイレ室ＴＲの外観を示す図であって、ドアＤＲが開いた状態を示す図である。
【００３９】
トイレ室ＴＲは、鉄道車両に設けられるトイレ室であって、鉄道車両の端部と座席エリアとの間に設けられるものである。トイレ室ＴＲの出入口にはドアＤＲが設けられていて、ドアＤＲが開くと出入りが可能であり、ドアＤＲが閉じると内部が見えないようになっている。トイレ室ＴＲの内部には、便器ＣＢが設置されている。
【００４０】
トイレ室ＴＲの外側であって、ドアＤＲ横の壁面には、第一操作装置１０が設けられている。一方、トイレ室ＴＲの内側であって、ドアＤＲ横の壁面には、第二操作装置２０が設けられている。
【００４１】
第一操作装置１０について、図３を参照しながら説明する。図３は、第一操作装置１０を示す図である。図３に示されるように、第一操作装置１０は、第一操作部１０１と、第一報知部１０２とを有している。
【００４２】
第一操作部１０１は、押しボタン式のスイッチとなっていて、取り付けられている壁面に押し込むことで、所定の指示信号が制御部（図３においては明示しない）に出力されるように構成されている。
【００４３】
第一報知部１０２は、第一操作部１０１の表面に設けられている。第一報知部１０２は、制御部（図３においては明示しない）から出力される報知信号に基づいて、「使用中」「あき」といった文字が表示できるように構成されている。
【００４４】
続いて、第二操作装置２０について、図４を参照しながら説明する。図４は、第二操作装置２０を示す図である。図４に示されるように、第二操作装置２０は、第二操作部２０１と、第二報知部２０２とを有している。
【００４５】
第二操作部２０１は、押しボタン式のスイッチとなっていて、取り付けられている壁面に押し込むことで、所定の指示信号が制御部（図３においては明示しない）に出力されるように構成されている。
【００４６】
第二報知部２０２は、第二操作部２０１の表面に設けられている。第二報知部２０２は、制御部（図３においては明示しない）から出力される報知信号に基づいて、「押してください  ロックされます」「ロック中です  押すとドアが開きます」といった文字が表示できるように構成されている。
【００４７】
続いて、本発明の実施形態であるドア開閉システムの機能的な構成について、図５を参照しながら説明する。図５は、本発明の実施形態であるドア開閉システムＤＳのブロック構成図である。図５に示されるように、ドア開閉システムＤＳは、第一操作装置１０と、第二操作装置２０と、制御部ＣＵ（ドア駆動装置）と、ドア駆動モーターＤＭ（ドア駆動装置）とを備えている。
【００４８】
第一操作装置１０は、第一操作部１０１と第一報知部１０２とを有している。第一操作部１０１が操作されると、所定の指示信号が制御部ＣＵに出力される。また、制御部ＣＵから出力される報知信号は、第一報知部１０２に伝達される。第一報知部１０２は、この報知信号に基づいて、「使用中」「あき」といった文字を表示する。
【００４９】
第二操作装置２０は、第二操作部２０１と第二報知部２０２とを有している。第二操作部２０１が操作されると、所定の指示信号が制御部ＣＵに出力される。また、制御部ＣＵから出力される報知信号は、第二報知部２０２に伝達される。第二報知部２０２は、この報知信号に基づいて、「押してください  ロックされます」「ロック中です  押すとドアが開きます」といった文字を表示する。
【００５０】
制御部ＣＵは、ＣＰＵやメモリといった機能部品によって構成され、第一操作部１０１、第一報知部１０２、第二操作部２０１、第二報知部２０２、ドア駆動モーターＤＭと信号の授受ができるようにインターフェイスも備えている。
【００５１】
制御部ＣＵは、第一操作部１０１及び第二操作部２０１から出力される所定の指示信号を受け取り、第一報知部１０２及び第二報知部２０２には報知信号を出力する。制御部ＣＵは更に、ドア駆動モーターＤＭに駆動信号（ドアＤＲを開くための「ドア開信号」、ドアＤＲを閉じるための「ドア閉信号」）を出力する。ドア駆動モーターＤＭは、その駆動信号を受け取ると、ドアＤＲを閉じたり開いたりするように回転する。
【００５２】
続いて、本発明の実施形態であるドア開閉システムＤＳの動作について、図６を参照しながら説明する。図６は、ドア開閉システムＤＳの動作を説明するためのフローチャートである。図６は、制御部ＣＵが、第一操作部１０１及び第二操作部２０１から出力される所定の指示信号を受けて判断を実行し、第一報知部１０２及び第二報知部２０２に報知信号を出力したり、ドア駆動モーターＤＭに駆動信号を出力したりする動作を説明するものである。従って、各ステップの動作主体は制御部ＣＵである。
【００５３】
ステップＳ０１では、所定の信号を受け取ったことに基づいて、操作されたのが第一操作部１０１であるか判断する。操作されたのが第一操作部１０１であれば、ステップＳ０２の処理に進み、操作されたのが第一操作部１０１でなく第二操作部２０１であれば、ステップＳ０４の処理に進む。
【００５４】
ステップＳ０２では、ロック制御中であるか判断する。ロック制御とは、ドアＤＲの開閉動作を規制する制御である。具体的には、第一操作部１０１から出力される指示信号によっては、ドア駆動モーターＤＭに駆動信号を出力しない制御である。ロック制御中であれば、リターンし、ロック制御中でなければ、ステップＳ０３の処理に進む。
【００５５】
ステップＳ０３では、ドアＤＲを開くように、ドア駆動装置としてのドア駆動モーターＤＭにドア駆動信号としての「ドア開信号」を出力する。ステップＳ０３の処理が終了するとリターンする。
【００５６】
ステップＳ０４では、ドアＤＲが開いているか判断する。ドアＤＲが開いていれば、ステップＳ０５の処理に進み、ドアＤＲが閉じていれば、ステップＳ０８の処理に進む。
【００５７】
ステップＳ０５では、ドアＤＲを閉じるように、ドア駆動装置としてのドア駆動モーターＤＭにドア駆動信号としての「ドア閉信号」を出力する。ステップＳ０５に続くステップＳ０６では、第一報知部１０２に報知信号を出力する。この報知信号は、第一報知部１０２に「使用中」の文字を表示させるためのものである。
【００５８】
ステップＳ０６に続くステップＳ０７では、第二報知部２０２に報知信号を出力する。この報知信号は、第二報知部２０２に「押してください  ロックされます」の文字を表示させるためのものである。ステップＳ０７の処理が終了するとリターンする。
【００５９】
ステップＳ０８では、ロック制御中であるか判断する。ロック制御とは、ドアＤＲの開閉動作を規制する制御である。具体的には、第一操作部１０１から出力される指示信号によっては、ドア駆動モーターＤＭに駆動信号を出力しない制御である。ロック制御中であれば、ステップＳ１１の処理に進み、ロック制御中でなければ、ステップＳ０９の処理に進む。
【００６０】
ステップＳ０９では、制御部ＣＵはドアＤＲの開閉を制御する規制モードに移行し、ロック制御を行う。このように規制モードに移行し、ロック制御を行うことで、ドアＤＲの開閉動作が規制される。
【００６１】
ステップＳ０９に続くステップＳ１０では、第二報知部２０２に報知信号を出力する。この報知信号は、第二報知部２０２に「ロック中です  押すとドアが開きます」の文字を表示させるためのものである。ステップＳ１０の処理が終了するとリターンする。
【００６２】
ステップＳ１１では、制御部ＣＵはドアＤＲの開閉を制御する規制モードを解除し、ロック制御を終了する。このように規制モードを解除し、ロック制御を終了することで、ドアＤＲの開閉動作が行えるようになる。
【００６３】
ステップＳ１１に続くステップＳ１２では、ドアＤＲを開くように、ドア駆動装置としてのドア駆動モーターＤＭにドア駆動信号としての「ドア開信号」を出力する。ステップＳ１１の処理が終了するとリターンする。
【００６４】
このように本実施形態に係るドア開閉システムＤＳは、鉄道車両に設けられるトイレ室ＴＲにおける出入口のドアＤＲを電気駆動によって開閉するためのドア開閉システムである。ドア開閉システムＤＳは、第一操作装置１０と、第二操作装置２０と、ドア駆動装置としてのドア駆動モーターＤＭと、制御部ＣＵとを備えている。
【００６５】
第一操作装置１０は、トイレ室ＴＲの外側に配置されるものであって、第一操作部１０１と第一報知部１０２とを有する。第二操作装置２０は、トイレ室ＴＲの内側に配置されるものであって、第二操作部２０１と第二報知部２０２とを有する。ドア駆動モーターＤＭは、第一操作部１０１及び第二操作部２０１からの指示信号に対応してドアＤＲを開閉する。制御部ＣＵは、第一操作装置１０及び第二操作装置２０から出力される指示信号を受信し、ドア駆動モーターＤＭに駆動信号を出力する。
【００６６】
制御部ＣＵは、ドアＤＲが開いている場合に第二操作部２０１が操作されるとドアＤＲを閉めることを指示する駆動信号としてドア閉信号をドア駆動モーターＤＭに出力する。制御部ＣＵは、そのドア閉信号が出力されてドアＤＲが閉まってから更に第二操作部２０１が操作されるとドアＤＲの開閉動作を規制する規制モードに移行し、ロック制御を実行する。
【００６７】
制御部ＣＵは、ロック制御が実行され、ドアＤＲの開閉動作が規制されている間において、第一操作部１０１に対する操作ではドアＤＲを開かないように制御する。更に、第一報知部１０２及び第二報知部２０２は、少なくともドアＤＲの開閉動作が規制された状態か否かを使用者が認識可能なように報知する。具体的には、第一報知部１０２には、「使用中」と表示し、第二報知部２０２には「ロック中です  押すとドアが開きます」と表示する。
【００６８】
本実施形態に係るドア開閉システムＤＳでは、トイレ室ＴＲの内側に配置される第二操作部２０１が、ドア閉信号が出力されてドアＤＲが閉まってから更に操作されると、制御部ＣＵがドアＤＲの開閉動作を規制する。そのため、ドア駆動モーターＤＭはドアＤＲの開閉動作を行うことが規制され、トイレ室ＴＲの外側に配置される第一操作部１０１に対する操作に対しては、ドアＤＲを開かないように構成することができる。従って、ドアＤＲが閉まってトイレ室ＴＲの外側からは操作ができない状態になってからの、トイレ室ＴＲ内の第二操作部２０１に対する操作によってのみドアＤＲの開閉動作が規制されるように構成されている。結果として、トイレ室ＴＲ内においてドアＤＲを閉める動作を行って、ドアＤＲが閉まる前にトイレ室ＴＲの外に逃げてしまうような悪戯を確実に回避することができる。
【００６９】
更に、本実施形態に係るドア開閉システムＤＳは、第一操作部１０１及び第二操作部２０１からの指示信号に対応してドアＤＲを開閉するので、トイレ室ＴＲの外側と内側とにそれぞれ一つの操作部を設けることでドアＤＲの開閉を行うことができ、操作部の設置数を減らして簡便な構成とすることができる。更に、第一報知部１０２及び第二報知部２０２は、少なくともドアＤＲの開閉動作が規制された状態か否かを使用者が認識可能なように報知するので、操作部の設置数を減らしても使用者がドアＤＲの動作状態を認識することができ、より使い勝手が向上する。
【００７０】
また本実施形態のドア開閉システムＤＳでは、制御部ＣＵは、ドアＤＲの開閉動作が規制されている間において、更に第二操作部２０１が操作されると、ドアＤＲの開閉動作の規制を解除すると共に、ドア駆動モーターＤＭに駆動信号を出力する。
【００７１】
このように、ドア駆動モーターＤＭの動作が規制された後、更に第二操作部２０１が操作されると、ドアＤＲの開閉動作の規制を解除すると共にドアＤＲを開くように駆動するので、追加の動作を要することなくトイレ室ＴＲを開放することができる。
【００７２】
また本実施形態のドア開閉システムＤＳでは、第二報知部２０２は、ドアＤＲの開閉動作が規制された状態であることを報知する際に、第二操作部２０１の再度の操作を促す情報も含めて報知する。具体的には、第二報知部２０２に「ロック中です  押すとドアが開きます」と表示する。
【００７３】
このように、第二報知部２０２は、ドアＤＲの開閉動作が規制された状態であることを報知（「ロック中です」と表示）する際に、第二操作部２０１の再度の操作を促す情報も含めて報知（「押すとドアが開きます」と表示）するので、操作部の設置数を減らしても、使用者が次にどのような操作をすればドアＤＲが開けられるかを確実に認識することができる。
【００７４】
また本実施形態のドア開閉システムＤＳでは、第一報知部１０２は、ドアＤＲの開閉動作が規制された状態であることを報知する際に、トイレ室ＴＲの外側の使用者に対して待機を促す情報も含めて報知する。具体的には、第一報知部１０２に「使用中」と表示したり、「ロック中  使用中」と表示したりする。
【００７５】
このように、第一報知部１０２は、ドアＤＲの開閉動作が規制された状態であることを報知する際に、トイレ室ＴＲの外側の使用者に対して待機を促す情報も含めて報知するので、トイレ室ＴＲの外側にいる次の使用者が待機すべきか否かを判断可能な情報を確実に伝達することができる。
【００７６】
また本実施形態のドア開閉システムＤＳでは、第一報知部１０２及び第二報知部２０２は、報知する内容を表示することで使用者に知らしめている。
【００７７】
このように、第一報知部１０２及び第二報知部２０２は、報知する内容を表示することで使用者に知らしめるので、音声といった他の表示方法に対して視覚的に確実に報知することができる。特に鉄道車両は走行中に連結部で大きな音が車内に入り込みやすいものであるので、このように視覚的に確実に報知することで、使用者が聞き逃すといった事態を確実に回避することができる。もっとも、表示に変えて音声によって報知することも、例えば視覚障害者に対応する観点からは好ましいものであり、音声による報知と表示による報知とを双方行うことも好ましいものである。
【００７８】
また本実施形態のドア開閉システムＤＳでは、第一報知部１０２は第一操作部１０１に設けられ、第二報知部２０２は第二操作部２０１に設けられている。このように、第一報知部１０２は第一操作部１０１に設けられ、第二報知部２０２は第二操作部２０１に設けられているので、トイレ室ＴＲ内外の壁面における占有領域を低減することができる。
【００７９】
また本実施形態のドア開閉システムＤＳでは、第一報知部１０２と第二報知部２０２とは同一の部材によって形成され、第一操作部１０１と第二操作部２０１とも同一の部材によって形成されている。
【００８０】
本実施形態では、制御部ＣＵが第一操作部１０１及び第二操作部１０２のいずれかから指示信号が出力されたかを判断し、その出力の場面と総合的に状況を勘案して、第一報知部１０２及び第二報知部２０２に表示信号を出力して所定の表示を行わせるものである。そこで、第一報知部１０２と第二報知部２０２とは同一の部材によって形成し、第一操作部１０１と第二操作部２０１とも同一の部材によって形成するものとしている。このように第一操作装置１０と第二操作装置２０とを同じ部材によって構成することで、トイレ室ＴＲ内外いずれに設置するものであるかを区別する必要が無く、制御部ＣＵとの信号のやり取りのみを正確に行えるように結線すればよいので、部材点数を減らすことができ、総合的なコストダウンに寄与することができる。
【００８１】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００８２】
ＤＳ：ドア開閉システム
ＴＲ：トイレ室
ＤＲ：ドア
ＣＢ：便器
ＣＵ：制御部
ＤＭ：ドア駆動モーター（ドア駆動装置）
１０：第一操作装置
１０１：第一操作部
１０２：第一報知部
２０：第二操作装置
２０１：第二操作部
２０２：第二報知部
【図１】
2011220039.tif 000003
【図２】
2011220039.tif 000004
【図３】
2011220039.tif 000005
【図４】
2011220039.tif 000006
【図５】
2011220039.tif 000007
【図６】
2011220039.tif 000008